(57)【特許請求の範囲】
【請求項１】
２以上の支持部の間をヒンジ部で結合した支持具を、長尺の被覆シートの上に任意の間隔で配置して取り付けてなるハウス基材と、
前記ハウス基材を巻取った状態で搭載する施工機とを備え、
前記ハウス基材の一端を施工場所に固定し、前記施工機の移動に伴って前記ハウス基材を繰り出し、
前記繰り出されたハウス基材の表面および裏面に成形ガイド手段を接触させることによりハウス基材をトンネル形状に誘導成形させ、
誘導成形させたトンネル形状のハウスを敷設することを特徴とする被覆シートを装着したハウス基材のトンネル施工方法。
【請求項２】
筐枠と、
前記筐枠の中央部に設けられ、ハウス基材の被覆シートの下面中央に回転接触する中央成形輪と、
前記中央成形輪の両側に設けられ、ハウス基材の被覆シートの上面に回転接触する１対の成形輪と、
ハウス基材を巻き付けたトンネルリールの繰り出し方向の回転がフリーである巻取手段と、
前記筐枠を移動させる駆動輪とからなり、
前記筐枠の移動により前記巻取手段をフリー回転させ、前記成形輪により前記ハウス基材をトンネル形状に誘導成形して繰り出すように構成したことを特徴とする被覆シートを装着したハウス基材のトンネル施工方法に用いる施工機。
【請求項３】
前記施工機は、
前記駆動輪の駆動軸と前記巻取手段の巻取軸との間にチェーンまたはベルトが掛け渡され、前記駆動軸または巻取軸のいずれかに前記ハウス基材の巻き取り方向の回転力のみを伝達する１方向クラッチを設けた回転力伝達手段と、
前記回転力伝達手段の回転を前記巻取手段に伝達し、前記巻取手段の回転に所定以上の制動力または回転させようとする力が加わったときは、前記回転力伝達手段の回転をすべらせるクラッチ手段とを備え、
敷設されたハウスの一端を前記巻取手段に取り付け、敷設された前記ハウスに向かって筐枠を移動させて前記駆動輪の駆動力を前記巻取手段に伝達させることにより、前記ハウスの表面および裏面を前記成形輪に案内させ、前記巻取手段に、敷設したハウスを収納することを特徴とする請求項２記載の被覆シートを装着したハウス基材のトンネル施工方法に用いる施工機。
【請求項４】
前記施工機は、駆動手段を搭載して前進後退させるようにし、
前記トンネルリールは施工機に着脱可能に構成し、
前記巻取手段の下部に前記ハウス基材が平面になるように案内する案内ローラを設けたことを特徴とする請求項２記載の被覆シートを装着したハウス基材のトンネル施工方法に用いる施工機。
【発明の詳細な説明】
【０００１】
【発明の属する技術分野】
本発明は、被覆シートを装着したハウス基材をトンネル形状に敷設するためのトンネル施工方法およびその方法に用いる施工機に関する。
【０００２】
【従来の技術】
従来のハウス敷設部材は、ハウス支持する骨材と被覆シートとは別々であり、所定の形状に折り曲げてある骨材を敷設場所に固定し、その後にビニール等の被覆シートを上掛けし、さらに紐などにより被覆シートを固定することによりトンネル状のハウスを形成している。
そこで、本件出願人はハウスを簡単に敷設するために農業用被覆シートを装着したハウス基材を提案している（特願平８ー１９５３４１）。
このハウス基材は、トンネル状に支持するための支持部を長尺の被覆シートに取り付けた構造をしており、支持部を連結する枢着部を所定の角度に折り曲げて端部を施工面に固定することによりハウスを形成することができる。
そのため、従来のハウス敷設部材を用いた敷設に比較し、敷設工程が少なくなり作業効率を向上させることができた。
【０００３】
【発明が解決しようとする課題】
上記ハウス基材は、上述したように予め支持部材と被覆シートを一体化させているため、作業が簡単になるが、さらにこのハウス基材の特徴を生かして効率的に敷設する方法が望まれる。
本発明の課題は、上記ハウス基材を効率的に施工できるトンネル施工方法およびその方法に用いる施工機を提供することにある。
【０００４】
【課題を解決するための手段】
前記課題を解決するために本発明によるトンネル施工方法は、２以上の支持部の間をヒンジ部で結合した支持具を、長尺の被覆シートの上に任意の間隔で配置して取り付けてなるハウス基材と、
前記ハウス基材を巻取った状態で搭載する施工機とを備え、
前記ハウス基材の一端を施工場所に固定し、前記施工機の移動に伴って前記ハウス基材を繰り出し、
前記繰り出されたハウス基材の表面および裏面に成形ガイド手段を接触させることによりハウス基材をトンネル形状に誘導成形させ、
誘導成形させたトンネル形状のハウスを敷設するように構成されている。
また、前記課題を解決するために本発明によるトンネル施工方法を用いる施工機は、筐枠と、
前記筐枠の中央部に設けられ、ハウス基材の被覆シートの下面中央に回転接触する中央成形輪と、
前記中央成形輪の両側に設けられ、ハウス基材の被覆シートの上面に回転接触する１対の成形輪と、
ハウス基材を巻き付けたトンネルリールの繰り出し方向の回転がフリーである巻取手段と、
前記筐枠を移動させる駆動輪とからなり、
前記筐枠の移動により前記巻取手段をフリー回転させ、前記成形輪により前記ハウス基材をトンネル形状に誘導成形して繰り出すように構成されている。
前記施工機は、
前記駆動輪の駆動軸と前記巻取手段の巻取軸との間にチェーンまたはベルトが掛け渡され、前記駆動軸または巻取軸のいずれかに前記ハウス基材の巻き取り方向の回転力のみを伝達する１方向クラッチを設けた回転力伝達手段と、
前記回転力伝達手段の回転を前記巻取手段に伝達し、前記巻取手段の回転に所定以上の制動力または回転させようとする力が加わったときは、前記回転力伝達手段の回転をすべらせるクラッチ手段とを備え、
敷設されたハウスの一端を前記巻取手段に取り付け、敷設された前記ハウスに向かって筐枠を移動させて前記駆動輪の駆動力を前記巻取手段に伝達させることにより、前記ハウスの表面および裏面を前記成形輪に案内させ、前記巻取手段に、敷設したハウスを収納することができる。
また、前記施工機は、駆動手段を搭載して前進後退させるようにし、
前記トンネルリールは施工機に着脱可能に構成し、
前記巻取手段の下部に前記ハウス基材が平面になるように案内する案内ローラを設けることができる。
【０００５】
上記構成によれば、ハウス基材を自動的にトンネル状に形成してハウスを敷設することができる。
【０００６】
【発明の実施の形態】
以下、図面を参照して本発明の実施の形態をさらに詳しく説明する。
図１は本発明によるトンネル施工方法に用いる施工機の実施の形態を示す斜視図である。
略４角形状に形成された筐枠１２に人が押したり、引いたりするための把持部１３が設けられている。筐枠１２の両側には１対の駆動輪１４が設けられている。手前の駆動輪１４の駆動軸には駆動プーリ３１が固定されており、駆動プーリ３１は駆動輪１４の回転とともに回転する。
【０００７】
筐枠１２の前枠１２ａに、先端に一方向クラッチ１６が取り付けられた軸３４が回転可能に設けられている。
一方向クラッチ１６と駆動プーリ３１の間にはチェーンまたはベルト１５が掛け渡されている。一方向クラッチ１６は時計方向に回転するときは、軸３４と結合して軸３４を回転させるが、反時計方向に回転するときは軸３４とは結合せず軸３４を回転させないように構成されている。したがって、施工機１１を矢印３５方向に移動させる場合には、軸３４には駆動力を伝達しないが、矢印３６方向に移動させる場合には軸３４に駆動力を伝達する。
軸３４の他端はクラッチ１７が取り付けられている。クラッチ１７には駆動ホルダ１８が結合している。駆動ホルダ１８には溝１８ａが設けられている。
【０００８】
一方、筐枠１２の前枠１２ｂに、軸３３が植設され、その先端に従動ホルダ２１が回転可能に取り付けられている。従動ホルダ２１の先端には溝２１ａが設けられている。
巻付芯２０は駆動ホルダ１８の溝１８ａと従動ホルダ２１の溝２１ａにその先端部２０ａ，２０ｂを嵌合させることができ、着脱可能である。
図２にハウス基材２６を巻付芯２０に巻き付けたトンネルリールの一例を示してある。
巻取手段は、軸３３，３４，駆動ホルダ１８，従動ホルダ２１および上記トンネルリールより構成される。
クラッチ１７は、軸３４とともに回転して駆動ホルダ１８に駆動力を伝達するするが、巻付芯２０に所定以上の制動力または回転を加えるような力が生じ軸３４と巻付芯２０の回転周期が一致しなくなると、滑りが生じるように構成されている。
【０００９】
前枠１２ａ，１２ｂの下部にはハウス基材２６を平面にする機能を有する案内ローラ１９が回転可能に取り付けられている。
前枠１２ａ，１２ｂの下端を連結する下枠１２ｃには支持枠２４ａ，２４ｂおよび２５が設けられている。支持枠２４ａ，２４ｂの先端には軸３７ａ，３７ｂが植設され、軸３７ａ，３７ｂの先端に成形輪（Ｂ）２３ａ，２３ｂが回転可能に取り付けられている。支持枠２５の先端には成形輪（Ａ）２２が回転可能に取り付けられている。
【００１０】
図３は、ハウス基材の構造を説明するための図である。
支持具９は３個の支持部１，２および３をヒンジ部７および８で結合することにより構成されている。
ヒンジ部７および８は、各支持部の枢支部に止めピンを差し込んで構成されている。
支持部１，２および３の上にはそれぞれ３個の突起１ａ，１ｂ，１ｃ，２ａ，２ｂ，２ｃ，３ａ，３ｂおよび３ｃが設けられている。
突起２ａ，２ｂおよび２ｃの先端部の直径は根元より少し大きめになっており、挟持部材５の嵌合部５ａ，５ｂおよび５ｃを支持部２の突起２ａ，２ｂおよび２ｃに嵌合させると、上記先端部により容易に抜けないような構造になっている。他の支持部１および３も同様な構造になっている。
このようにして支持部材を一定の間隔で取り付けることにより図３に示すようなハウス基材が形成される。
【００１１】
図４は、本発明によるトンネル施工方法を説明するための斜視図である。
以下、図１〜図４に従ってトンネル施工方法を説明する。
まず、図２に示すトンネルリールを駆動ホルダ１８と従動ホルダ２１の間に装着し、ハウスを敷設する畑２８の端部に配置する。
トンネルリールからハウス基材２６の一端を引っ張り出し、ハウス基材２６の支持部１，３の端部をピン２７ａ，２７ｂによって土に固定する。
つぎに、施工場所の上を施工機１１を矢印３５に示す方向に引く。これにより、ハウス基材２６の一端は引っ張られ、引っ張られることによりトンネルリールは回転し、ハウス基材２６が引き出される。下方に引き出されたハウス基材２６は案内ローラ１９により平面にされると同時に方向が変えられる。ハウス基材２６の被覆シートの中央付近の下面は成形輪２２に接触案内され、さらに側部付近の上面が成形輪２３ａ，２３ｂで接触案内されトンネル状に成形される。支持部１と２および２と３の間は、上記成形輪２２，２３ａ，２３ｂの案内により曲げられ一定の角度θとなる。
【００１２】
支持部１と２および２と３の間のヒンジ部７および８は上記所定角度θより小さい角度に曲がらないように構成されており、上記角度θに成形されると、図示しないフック等の働きにより容易に元に戻らないように構成されている。
矢印３５方向に施工機１１を移動させることにより、図４に示すようなトンネル形状に成形されてハウスが敷設されていく。
ハウス端部の支持部１，３は土に固定されているが、その後に繰り出される支持部１，３は畑２８の上に展開されるだけで固定されない。そのため、ハウス基材２６の支持部１，３を被覆シートの端部よりはみ出るような長さにしておき、ハウスを敷設した後に支持部を押し込んで固定することができる。
【００１３】
また、逆に支持部１，３の長さを被覆シートの端部より短かくしておき、すなわち、被覆シートの両側部を支持部１，３より突出させた形状にしておき、突出した部分に後で土を被せることにより固定することもできる。
なお、施工機に支持部の上端部を押しつける機能を設けることにより、ハウス敷設後ではなくハウス敷設と同時に支持部を土に固定することができる。また、被覆シートの両側部の突出させた部分に土を被せる機能を設けることにより、ハウス敷設と同時にハウスを固定することができる。
図５はこのようにして敷設したハウスの一例を示す斜視図である。
【００１４】
次に敷設したハウスを収納する場合について説明する。
ハウスの端部を成形輪２２，２３ａ，２３ｂを介して案内ローラ１９面を経由させて巻付芯２０に固定する。
このとき、ハウスが固定されている場合には、予め巻き取りができるように固定を解除しておく必要がある。例えば、被覆シートの側部に土を被せて固定している場合には、その土を予め取り除いておく必要がある。
また、支持部を土に打ちつけることにより固定してある場合には、予め支持部を抜いておく必要がある。
このようにして施工機１１を矢印３６の方向、すなわちハウスに向かって移動させると、その駆動力は駆動プーリ３１，１方向クラッチ１６を介して伝達され、巻付芯２０を強制的に巻き付け方向に回転させる。
【００１５】
矢印３６方向の移動によって、敷設されたハウスは成形輪２２，２３ａ，２３ｂを介して案内ローラ１９で平面形状に戻されて巻付芯２０に巻き取られていく。
当初の一方向クラッチ１６と、ハウス基材の巻き取りに併せて回転する巻付芯の回転周期とは合っていないことが考えられ、また、回転周期が一致していたとしても巻付芯２０に巻き付けていくに従ってハウス基材２６の巻付径が変わっていくので、一方向クラッチ１６と巻付芯の回転周期とは一致しなくなる。回転周期が一致しなくなると、軸３４に対し相対的に巻付芯に所定以上の制動力または回転させようとする力が加わるが、クラッチ１７が滑ることにより回転周期を一致させている。
なお、被覆シートの端部に土を被せて固定するハウス形式の場合、施工機に土を取り除く機能を設けておけば、予め土を取り除いておく必要はなくなる。
【００１６】
以上の実施の形態の施工機は、人力による例を示したが、エンジンなどの駆動手段を搭載して移動させることができる。
また、一方向クラッチ１７を巻取軸側に設けた例について説明したが、駆動輪の駆動軸に１方向クラッチを設けても良い。
【００１７】
【発明の効果】
以上、説明したように本発明方法は、施工機を用いることにより、支持部に被覆シートを装着したハウス基材を人手をかけずに効率的にトンネル状に施工し、ハウスを敷設できる。
また、トンネル状に施工したハウスを、施工とは逆の操作をすることにより、施工機に収納することができるので、ハウス敷設に用いたハウス基材を繰り返し使用することができ、資源の有効利用を図ることができる。
【図面の簡単な説明】
【図１】本発明によるトンネル施工方法に用いる施工機の実施の形態を示す斜視図である。
【図２】ハウス基材を巻付芯に巻き付けたトンネルリードの一例を示す斜視図である。
【図３】ハウス基材の構造を説明するための図である。
【図４】本発明によるトンネル施工方法を説明するための斜視図である。
【図５】本発明によるトンネル施工方法で作ったハウスの一例を示す図である。
【符号の説明】
１，２，３…支持部
４，５，６…挟持部材
７，８…ヒンジ部
９…支持具
１０…被覆シート
１１…施工機
１２…筐枠
１３…把持部
１４…駆動輪
１５…チェーン
１６…一方向クラッチ
１７…クラッチ
１８…駆動ホルダ
１９…案内ローラ
２０…巻付芯
２１…従動ホルダ
２２…中央成形輪
２３ａ，２３ｂ…成形輪
２４，２５…支持枠
２６…ハウス基材
【図１】
0003623327.tif 000002
【図２】
0003623327.tif 000003
【図５】
0003623327.tif 000004
【図３】
0003623327.tif 000005
【図４】
0003623327.tif 000006